(57)【要約】【課題】隣接する信号による妨害を低減する。【解決手段】第１の隣接妨害低減装置３は、第２の混合信号を幹線３２および分岐線３４に分岐させて伝送する。分岐線３４を介して伝送される第２の混合信号において、隣接する妨害波があるアナログ放送は、選局されて特定の処理周波数で隣接する妨害波を低減され、放送波受信システム２において使用可能な空きチャネルの周波数の信号に変換されて伝送される。幹線３２を介して伝送される第２の混合信号の内、隣接妨害がないチャネルのアナログ放送、およびデジタル放送が有効なチャネルの信号として伝送される。【選択図】          図４
2005039442.tif 000002
【特許請求の範囲】
【請求項１】
チャネル配列された信号を幹線信号と分岐信号とに分岐する１つ以上の分岐手段と、
前記分岐信号から所望のチャネルの信号を選局する１つ以上の選局手段と、
前記選局手段によって選局された信号の周波数を変換する１つ以上の第１の周波数変換手段と、
前記第１の周波数変換手段によって周波数を変換された信号から所望のチャネルの占有帯域の信号に対応する信号を抽出する１つ以上のフィルタと、
前記フィルタによって抽出された信号を増幅する１つ以上の第１の増幅手段と、
前記第１の増幅手段によって増幅された信号の周波数を変換する１つ以上の第２の周波数変換手段と、
前記第２の周波数変換手段によって周波数を変換された信号と前記幹線信号とを混合する１つ以上の混合手段と
を有する隣接妨害低減装置。
【請求項２】
前記第２の周波数変換手段は、
前記第１の周波数変換手段と同一の発振信号により、前記第１の増幅手段によって増幅された信号が前記選局手段によって選局されたチャネルの占有帯域の信号になるように周波数を変換する
請求項１に記載の隣接妨害低減装置。
【請求項３】
前記幹線信号を増幅する第２の増幅手段
をさらに有する
請求項１または２に記載の隣接妨害低減装置。
【発明の詳細な説明】
【０００１】
【発明の属する技術分野】
本発明は、所望の信号の周波数帯域に隣接する信号が所望の信号を妨害することを低減する隣接妨害低減装置に関する。
【０００２】
【従来の技術】
テレビ放送サービスには、アナログ放送のみのサービスからデジタル放送のみのサービスに移行する際に、移行期間が設けられている。
この移行期間には、アナログ放送とデジタル放送とで同一の内容を放送するサイマル放送などが行われ、例えばアナログ放送で利用されているチャネルに対し、デジタル放送で利用するチャネルが隣接し、デジタル放送がアナログ放送を妨害することがある。
【０００３】
例えば、特許文献１は、隣接地域で放送される同一チャネルのアナログ放送に対し、混信保護比を改善する地上デジタル放送の伝送システムを開示する。
しかしながら、アナログ放送のチャネルとデジタル放送のチャネルとが隣接している場合には、デジタル放送がアナログ放送を妨害することを低減できないことがある。
【０００４】
【特許文献１】特開２０００−１１５１１９号公報
【０００５】
【発明が解決しようとする課題】
本発明は、上述した従来技術の問題点に鑑みてなされたものであり、隣接する信号による妨害を低減することができる隣接妨害低減装置を提供することを目的とする。
【０００６】
【課題を解決するための手段】
上記目的を達成するために、本発明にかかる隣接妨害低減装置は、チャネル配列された信号を幹線信号と分岐信号とに分岐する１つ以上の分岐手段と、前記分岐信号から所望のチャネルの信号を選局する１つ以上の選局手段と、前記選局手段によって選局された信号の周波数を変換する１つ以上の第１の周波数変換手段と、前記第１の周波数変換手段によって周波数を変換された信号から所望のチャネルの占有帯域の信号に対応する信号を抽出する１つ以上のフィルタと、前記フィルタによって抽出された信号を増幅する１つ以上の第１の増幅手段と、前記第１の増幅手段によって増幅された信号の周波数を変換する１つ以上の第２の周波数変換手段と、前記第２の周波数変換手段によって周波数を変換された信号と前記幹線信号とを混合する１つ以上の混合手段とを有する。
【０００７】
好適には、前記第２の周波数変換手段は、前記第１の周波数変換手段と同一の発振信号により、前記第１の増幅手段によって増幅された信号が前記選局手段によって選局されたチャネルの占有帯域の信号になるように周波数を変換する。
【０００８】
好適には、前記幹線信号を増幅する第２の増幅手段をさらに有する。
【０００９】
【発明の実施の形態】
［本発明の背景］
本発明の理解を助けるために、まず、本発明がなされるに至った背景を説明する。
【００１０】
［放送波受信システム１］
図１は、本発明の背景の説明のために例示する放送波受信システム１の構成を示す図である。
図１に示すように、放送波受信システム１は、住宅の宅内共聴システムなどであり、例えば、放送波受信部１０、混合部１２、分配部１４、アナログテレビ１６およびデジタル対応テレビ１８−１〜１８−３などから構成される。
放送波受信システム１は、これらの構成部分により、放送波受信部１０によって受信したアナログ放送を、アナログテレビ１６およびデジタル対応テレビ１８−１〜１８−３から出力し、デジタル放送をデジタル対応テレビ１８−１〜１８−３から出力する。
以下、デジタル対応テレビ１８−１〜１８−３など複数ある構成部分のいずれかを特定せずに示す場合には、単に「デジタル対応テレビ１８」などと略記することがある。
【００１１】
［希望波と妨害波］
図２は、希望波と妨害波とが隣接し、隣接妨害が発生する状況の放送波の周波数（チャネル）配列を例示する図である。
以下、説明を具体化し発明の理解を容易にするため、図２に示すアナログ放送（希望チャネルＡ）が希望波であり、アナログ放送の下隣接チャネルで放送される第１のデジタル放送、およびアナログ放送の上隣接チャネルで放送される第２のデジタル放送が妨害波であり、その他のアナログ放送およびデジタル放送はそれぞれ隣接していない場合を具体例として説明する。
【００１２】
図２に示すように、希望波のアナログ放送は、映像搬送波によって伝送される信号と音声搬送波によって伝送される信号とを有する。
アナログ放送の映像搬送波によって伝送される信号のレベルを基準として、第１のデジタル放送は、信号レベルが例えば０ｄＢを超えると、視聴者がアナログテレビ１６およびデジタル対応テレビ１８−１〜１８−３を介して視聴するアナログ放送を妨害することがある。
また、放送波受信システム１において、アナログ放送の映像搬送波によって伝送される信号のレベルを基準として、第２のデジタル放送は、信号レベルが例えば−１０ｄＢを超えると、視聴者がアナログテレビ１６およびデジタル対応テレビ１８−１〜１８−３を介して視聴するアナログ放送を妨害することがある。
【００１３】
よって、アナログ放送およびデジタル放送を送信する放送局は、他の放送局が送信する放送波の信号レベルについても考慮し、視聴障害が発生しないように各チャネルの信号レベルを調整して放送波を出力する。
一方、放送波を受信する放送波受信部１０（受信点：図１）において、該放送波が伝送された環境などにより、各チャネルの信号レベルは、それぞれ変化して隣接するチャネルの信号を妨害するレベルになることがある。
例えば、デジタル放送が受信可能なレベルで送信されている場合に、隣接するアナログ放送を妨害することがある。
【００１４】
［放送波受信システム２］
図３は、本発明が適用される放送波受信システム２の構成を例示する図である。
なお、図３においては、放送波受信システム２の構成部分の内、放送波受信システム１の構成部分と実質的に同じものには、同じ符号が付されている。
図３に示すように、放送波受信システム２は、例えば、放送波受信部１０、混合部１２、第１の隣接妨害低減装置３、分配部１４、アナログテレビ１６およびデジタル対応テレビ１８−１〜１８−３などから構成される。
つまり、放送波受信システム２は、図１に示した放送波受信システム１に対し、混合部１２と分配部１４との間に、第１の隣接妨害低減装置３が設けられている点で異なる。
本発明が適用される放送波受信システム２は、第１の隣接妨害低減装置３により、希望波に隣接するチャネルの信号レベルを低減し、希望波を妨害されることなく受信する。
【００１５】
放送波受信部１０は、例えば、第１のアンテナ１００、第２のアンテナ１０２および第３のアンテナ１０４から構成される。
第１のアンテナ１００は、例えばＶＨＦ帯の放送波を受信し、受信した信号Ｖを後述する第１の混合器１２０に対して出力する。
第２のアンテナ１０２は、例えばＵＨＦ帯の放送波を受信し、受信した信号Ｕを後述する第１の混合器１２０に対して出力する。
第３のアンテナ１０４は、例えばＢＳ（Ｂｒｏａｄｃａｓｔｉｎｇ  Ｓａｔｅｌｌｉｔｅｓ）および１１０度ＣＳ（Ｃｏｍｍｕｎｉｃａｔｉｏｎ  Ｓａｔｅｌｌｉｔｅｓ）からの放送波を受信し、受信した信号ＣＳ・ＢＳを後述する第２の混合器１２２に対して出力する。
【００１６】
混合部１２は、第１の混合器１２０および第２の混合器１２２から構成される。
第１の混合器１２０は、第１のアンテナ１００から信号Ｖを受け入れ、第２のアンテナ１０２から信号Ｕを受け入れて、信号Ｖと信号Ｕとを混合することにより第１の混合信号（Ｕ・Ｖ）を生成し、第１の混合信号を後述する第２の混合器１２２に対して出力する。
第２の混合器１２２は、第１の混合信号を第１の混合器１２０から受け入れ、信号ＣＳ・ＢＳを第３のアンテナ１０４から受入れて、第１の混合信号と信号ＣＳ・ＢＳとを混合することにより第２の混合信号（ＣＳ・ＢＳ／Ｕ・Ｖ）を生成し、第１の隣接妨害低減装置３に対して出力する。
【００１７】
第１の隣接妨害低減装置３は、第２の混合信号を第２の混合器１２２から受け入れ、第２の混合信号内の希望波に対して隣接妨害を発生させる妨害波を低減し、後述する４分配器１４０に対して出力する。
【００１８】
分配部１４は、４分配器１４０、テレビ端子１４２−１〜１４２−４および分波器１４４−１〜１４４−３などから構成される。
４分配器１４０は、第２の混合信号を第２の混合器１２２から受入れて４つに分配し、テレビ端子１４２−１〜１４２−４に対して出力する。
テレビ端子１４２−１〜１４２−４それぞれは、第２の混合信号を４分配器１４０から受入れて、アナログテレビ１６、または分波器１４４−１〜１４４−３を介してデジタル対応テレビ１８−１〜１８−３に対して出力する。
分波器１４４−１〜１４４−３それぞれは、第２の混合信号をテレビ端子１４２−２〜１４２−４から受入れて、第２の混合信号を第１の混合信号（Ｕ・Ｖ）と信号ＣＳ・ＢＳとに分波し、デジタル対応テレビ１８−１〜１８−３に対して出力する。
【００１９】
アナログテレビ１６は、テレビ端子１４２−１から入力される第２の混合信号の内、ＶＨＦ帯およびＵＨＦ帯のアナログ放送のみを受信し、出力する。
デジタル対応テレビ１８−１〜１８−３は、分波器１４４−１〜１４４−３から第２の混合信号を受入れて、ＶＨＦ帯およびＵＨＦ帯の放送、並びに、ＢＳ放送および１１０度ＣＳ放送を出力する。
【００２０】
［第１実施形態］
以下、本発明の第１の実施形態を説明する。
【００２１】
［第１の隣接妨害低減装置３］
図４は、本発明に係る第１の隣接妨害低減装置３（図３）の構成を示す図である。
図４に示すように、第１の隣接妨害低減装置３は、分岐器３０、幹線３２、分岐線３４、入力チャネル選局部３４０、帯域通過フィルタ（ＢＰＦ）３４２、増幅器３４４、出力チャネル選局部３４６、出力電力調整部３４８、混合器３６、第１の局部発信器３５０および第２の局部発信器３５２などから構成される。
【００２２】
分岐器３０は、第２の混合信号を第２の混合器１２２から受け入れて２つに分岐し、幹線３２および分岐線３４それぞれに対して出力する。
幹線３２は、分岐器３０から受入れた第２の混合信号（幹線信号）を伝送し、混合器３６に対して出力する。
分岐線３４は、分岐器３０から受入れた第２の混合信号（分岐信号）を伝送し、入力チャネル選局部３４０に対して出力する。
【００２３】
入力チャネル選局部３４０は、分岐線３４から第２の混合信号を受け入れ、妨害を受ける希望チャネルＡを選局し、後述する第１の局部発信器３５０から入力された局部発振周波信号ｆ１と混合することにより、例えば特定の処理周波数の中間周波信号を生成し、ＢＰＦ３４２に対して出力する。
【００２４】
第１の局部発信器３５０は、希望チャネルＡの映像搬送波よりも上述した特定の処理周波数だけ高い周波数で振幅が一定の信号（局部発振周波信号ｆ１）を発振し、入力チャネル選局部３４０に対して出力する。
【００２５】
ＢＰＦ３４２は、入力チャネル選局部３４０から入力された中間周波信号の希望チャネルＡに対応する帯域の信号のみを低損失で通過させ、その他の信号を所定のレベル以下に減衰させて、増幅器３４４に対して出力する。
図５は、特定の処理周波数において、図２に示したチャネル配列の信号から希望チャネルＡに対応する帯域以外の信号を低減する概念を示す図である。
図５に示すように、ＢＰＦ３４２は、希望チャネルＡであるアナログ放送を通過させ、隣接する第１のデジタル放送および第２のデジタル放送などの妨害信号の電力レベルを大幅に低減する。
【００２６】
増幅器３４４は、ＢＰＦ３４２から入力された信号を増幅し、出力チャネル選局部３４６に対して出力する。
【００２７】
出力チャネル選局部３４６は、増幅器３４４によって増幅された信号を受け入れ、後述する第２の局部発信器３５２から入力された局部発振周波信号ｆ２と混合し、例えば、放送波受信システム２において使用可能な空きチャネル（選択出力チャネルＡ’）の周波数の信号に変換し、出力電力調整部３４８に対して出力する。
【００２８】
第２の局部発信器３５２は、上述した特定の処理周波数の信号が混合されることにより、選択出力チャネルの周波数の信号が生成されるように振幅が一定の信号（局部発振周波信号ｆ２）を発振し、出力チャネル選局部３４６に対して出力する。
【００２９】
出力電力調整部３４８は、例えば増幅器と減衰器（ともに図示せず）との組合わせなどによって構成され、出力チャネル選局部３４６から入力された信号の電力レベルを所定の値に調整し、混合器３６に対して出力する。
【００３０】
混合器３６は、出力電力調整部３４８から入力される選択出力チャネルＡ’の周波数の信号と、分岐器３０から入力される第２の混合信号とを混合することにより第３の混合信号（調整済みＣＳ・ＢＳ／Ｕ・Ｖ）を生成し、４分配器１４０に対して出力する。
【００３１】
［第１の隣接妨害低減装置３が適用される放送波受信システム２の全体動作］以下、第１の隣接妨害低減装置３が適用される放送波受信システム２（図３）の全体動作を説明する。
第１の混合器１２０は、第１のアンテナ１００が受信したＶＨＦ帯の放送波（信号Ｖ）と、第２のアンテナ１０２が受信したＵＨＦ帯の放送波（信号Ｕ）とを混合することにより、第１の混合信号（Ｕ・Ｖ）を生成し、第２の混合器１２２に対して出力する。
第２の混合器１２２は、第３のアンテナ１０４が受信した信号ＣＳ・ＢＳと、第１の混合信号（Ｕ・Ｖ）とを混合することにより、第２の混合信号（ＣＳ・ＢＳ／Ｕ・Ｖ）を生成し、第１の隣接妨害低減装置３に対して出力する。
【００３２】
第１の隣接妨害低減装置３は、第２の混合信号を幹線３２および分岐線３４に分岐させて伝送する。
分岐線３４を介して伝送される第２の混合信号において、隣接する妨害波があるアナログ放送（希望チャネルＡ）は、選局されて特定の処理周波数で隣接する妨害波を低減され、放送波受信システム２において使用可能な空きチャネル（選択出力チャネルＡ’）の周波数の信号に変換されて伝送される。
幹線３２を介して伝送される第２の混合信号の内、隣接妨害がないチャネルのアナログ放送、およびデジタル放送が有効なチャネルの信号として伝送される。
このように、隣接する妨害波がある希望チャネルＡの信号は、幹線３２を介して伝送されても妨害波の影響を受けるので使用されず、分岐線３４を介して伝送されると、妨害波を低減されて、空きチャネルの信号に変換され、隣接妨害がない他のチャネルの信号と混合されて、第３の混合信号として４分配器１４０に対して出力される。
【００３３】
アナログテレビ１６は、第３の混合信号の内、隣接妨害がないチャネルのアナログ放送、および選択出力チャネルＡ’のアナログ放送をテレビ端子１４２−１を介して受信する。
デジタル対応テレビ１８は、テレビ端子１４２および分波器１４４を介して第３の混合信号を受信する。
【００３４】
以上のように、第１の隣接妨害低減装置３は、隣接する妨害波があるアナログ放送から妨害波を低減し、隣接妨害がないチャネルのアナログ放送、およびデジタル放送と、妨害波を低減したアナログ放送とを混合するので、隣接妨害のない放送を伝送することができる。
【００３５】
［第２実施形態］
以下、本発明の第２の実施形態を説明する。
【００３６】
［第２の隣接妨害低減装置４］
図６は、本発明に係る第２の隣接妨害低減装置４の構成を示す図である。
図６に示すように、第２の隣接妨害低減装置４は、第１の隣接妨害低減部４０および第２の隣接妨害低減部４２から構成される。
なお、図６においては、第２の隣接妨害低減装置４の構成部分の内、第１の隣接妨害低減装置３の構成部分と実質的に同じものには、同じ符号が付されている。
【００３７】
［第１の隣接妨害低減部４０］
第１の隣接妨害低減部４０は、分岐器３０−１、一次幹線４００、分岐線３４、入力チャネル選局部３４０、ＢＰＦ３４２−１、増幅器３４４−１、出力チャネル選局部３４６−１、出力電力調整部３４８−１、混合器３６−１、第１の局部発信器３５０および第２の局部発信器３５２などから構成される。
【００３８】
第１の隣接妨害低減部４０の分岐器３０−１は、第２の混合信号を第２の混合器１２２から受け入れて２つに分岐し、一次幹線４００および分岐線３４それぞれに対して出力する。
一次幹線４００は、分岐器３０−１から受入れた第２の混合信号を伝送し、第２の隣接妨害低減部４２の分岐器３０−２に対して出力する。
分岐線３４を介して伝送される第２の混合信号において、隣接する妨害波がある１つのアナログ放送（希望チャネルＡ）は、図４に示した第１の隣接妨害低減装置３と同様に、選局されて特定の処理周波数で隣接する妨害波を低減され、放送波受信システム２において使用可能な空きチャネル（選択出力チャネルＡ’）の周波数の信号に変換されて伝送される。
【００３９】
［第２の隣接妨害低減部４２］
第２の隣接妨害低減部４２は、分岐器３０−２、二次幹線４２０、二次分岐線４２２、二次幹線増幅器４２４、二次入力チャネル選局部４４０、ＢＰＦ３４２−２、増幅器３４４−２、出力チャネル選局部３４６−２、出力電力調整部３４８−２、混合器３６−２、第３の局部発信器４５０および第４の局部発信器４５２などから構成され、第１の隣接妨害低減部４０の分岐器３０−１と混合器３６−１とを接続する一次幹線４００に挿入されるように接続されている。
【００４０】
第２の隣接妨害低減部４２の分岐器３０−２は、一次幹線４００から入力される信号を受け入れて２つに分岐し、二次幹線４２０および二次分岐線４２２それぞれに対して出力する。
二次幹線４２０は、分岐器３０−２から受入れた信号を、後述する二次幹線増幅器４２４を介し混合器３６−２に対して伝送する。
【００４１】
二次幹線増幅器４２４は、二次幹線４２０によって伝送される第２の混合信号を増幅し、第１の隣接妨害低減部４０の分岐器３０−１および第２の隣接妨害低減部４２の分岐器３０−２によって分岐されることにより減衰した隣接妨害がないチャネルのアナログ放送、およびデジタル放送の信号レベルを所定のレベル以上にする。
【００４２】
二次入力チャネル選局部４４０は、二次分岐線４２２によって伝送される信号を受け入れ、第１の隣接妨害低減部４０によって妨害波を低減されるチャネルとは異なるチャネルであり、かつ、隣接する妨害波から妨害を受けるアナログ放送（希望チャネルＢ）を選局し、後述する第３の局部発信器４５０から入力された局部発振周波信号ｆ２と混合することにより、例えば特定の処理周波数の中間周波信号を生成し、ＢＰＦ３４２−２に対して出力する。
【００４３】
第３の局部発信器４５０は、希望チャネルＢの映像搬送波よりも上述した特定の処理周波数だけ高い周波数で振幅が一定の信号（局部発振周波信号ｆ２）を発振し、二次入力チャネル選局部４４０に対して出力する。
【００４４】
ＢＰＦ３４２−２は、二次入力チャネル選局部４４０から入力された中間周波信号の希望チャネルＢに対応する帯域の信号のみを低損失で通過させ、その他の信号を所定のレベル以下に減衰させて、増幅器３４４−２に対して出力する。
【００４５】
増幅器３４４−２は、ＢＰＦ３４２−２から入力された信号を増幅し、出力チャネル選局部３４６−２に対して出力する。
【００４６】
出力チャネル選局部３４６−２は、増幅器３４４−２によって増幅された信号を受け入れ、後述する第４の局部発信器４５２から入力された局部発振周波信号ｆ２’と混合し、例えば、放送波受信システム２において使用可能な空きチャネル（選択出力チャネルＢ’）の周波数の信号に変換し、出力電力調整部３４８−２に対して出力する。
【００４７】
第４の局部発信器４５２は、上述した特定の処理周波数の信号が混合されることにより、選択出力チャネルＢ’の周波数の信号が生成されるように振幅が一定の信号（局部発振周波信号ｆ２’）を発振し、出力チャネル選局部３４６−２に対して出力する。
【００４８】
出力電力調整部３４８−２は、例えば増幅器と減衰器（ともに図示せず）との組合わせなどによって構成され、出力チャネル選局部３４６−２から入力された信号の電力レベルを所定の値に調整し、混合器３６−２に対して出力する。
【００４９】
第２の隣接妨害低減部４２の混合器３６−２は、出力電力調整部３４８−２から入力される選択出力チャネルＢ’の周波数の信号と、二次幹線増幅器４２４から入力される信号とを混合し、第１の隣接妨害低減部４０の混合器３６−１に対して出力する。
【００５０】
このように、第２の隣接妨害低減装置４は、第１の隣接妨害低減部４０および第２の隣接妨害低減部４２において、それぞれ異なるチャネルのアナログ放送波に対し、隣接する妨害波を低減し、それぞれ放送波受信システム２において使用可能な異なる空きチャネルの周波数の信号に変換し、隣接する妨害波がないアナログ放送波およびデジタル放送波の信号と共に、混合器３６−１から４分配器１４０に対して出力する。
また、第１の隣接妨害低減部４０の入力チャネル選局部３４０が出力する中間周波信号の周波数（処理周波数）と、第２の隣接妨害低減部４２の二次入力チャネル選局部４４０が出力する中間周波信号の周波数（処理周波数）とを略同一にすることにより、ＢＰＦ３４２、増幅器３４４および出力チャネル選局部３４６などの周波数特性を標準化することができる。
【００５１】
［第２の隣接妨害低減装置４が適用される放送波受信システム２の全体動作］以下、第２の隣接妨害低減装置４が適用される放送波受信システム２（図３）の全体動作を説明する。
第１の混合器１２０は、第１のアンテナ１００が受信したＶＨＦ帯の放送波（信号Ｖ）と、第２のアンテナ１０２が受信したＵＨＦ帯の放送波（信号Ｕ）とを混合することにより、第１の混合信号（Ｕ・Ｖ）を生成し、第２の混合器１２２に対して出力する。
第２の混合器１２２は、第３のアンテナ１０４が受信した信号ＣＳ・ＢＳと、第１の混合信号（Ｕ・Ｖ）とを混合することにより、第２の混合信号（ＣＳ・ＢＳ／Ｕ・Ｖ）を生成し、第２の隣接妨害低減装置４に対して出力する。
【００５２】
第２の隣接妨害低減装置４は、第１の隣接妨害低減部４０において、第２の混合信号を一次幹線４００および分岐線３４−１に分岐させて伝送する。
分岐線３４−１を介して伝送される第２の混合信号において、隣接する妨害波があるアナログ放送（希望チャネルＡ）は、選局されて特定の処理周波数で隣接する妨害波を低減され、放送波受信システム２において使用可能な空きチャネル（選択出力チャネルＡ’）の周波数の信号に変換されて伝送される。
【００５３】
一次幹線４００を介して伝送される第２の混合信号は、第２の隣接妨害低減部４２において２つに分岐され、二次幹線４２０および二次分岐線４２２を介して伝送される。
二次分岐線４２２を介して伝送される信号において、第１の隣接妨害低減部４０によって妨害波を低減されるチャネルとは異なるチャネルであり、かつ、隣接する妨害波から妨害を受けるアナログ放送（希望チャネルＢ）は、選局されて特定の処理周波数で隣接する妨害波を低減され、放送波受信システム２において使用可能な空きチャネル（選択出力チャネルＢ’）の周波数の信号に変換されて伝送される。
二次幹線４２０を介して伝送される信号は、二次幹線増幅器４２４によって所定のレベルに増幅され、隣接妨害がないチャネルのアナログ放送、およびデジタル放送が有効なチャネルの信号として伝送される。
【００５４】
このように、隣接する妨害波がある希望チャネルＡおよび希望チャネルＢの信号は、二次幹線４２０を介して伝送されても妨害波の影響を受けるので使用されず、分岐線３４または二次分岐線４２２を介して伝送されると、妨害波を低減されて、それぞれ空きチャネルの信号（選択出力チャネルＡ’，Ｂ’）に変換され、隣接妨害がない他のチャネルの信号（デジタル放送を含む）と混合されて、４分配器１４０に対して出力される。
【００５５】
アナログテレビ１６は、４分配器１４０によって分配された信号の内、隣接妨害がないチャネルのアナログ放送、および選択出力チャネルＡ’，Ｂ’のアナログ放送をテレビ端子１４２−１を介して受信する。
デジタル対応テレビ１８は、４分配器１４０によって分配された信号からテレビ端子１４２および分波器１４４介し、隣接妨害がない他のチャネルの信号（デジタル放送を含む）、および選択出力チャネルＡ’，Ｂ’のアナログ放送を受信する。
【００５６】
以上のように、第２の隣接妨害低減装置４は、隣接する妨害波があるアナログ放送から妨害波を低減し、隣接妨害がないチャネルのアナログ放送、およびデジタル放送と、妨害波を低減したアナログ放送とを混合するので、隣接妨害のない放送を伝送することができる。
【００５７】
［第３実施形態］
以下、本発明の第３の実施形態を説明する。
【００５８】
［第３の隣接妨害低減装置５］
図７は、本発明に係る第３の隣接妨害低減装置５の構成を示す図である。
なお、図７においては、第３の隣接妨害低減装置５の構成部分の内、第１の隣接妨害低減装置３の構成部分と実質的に同じものには、同じ符号が付されている。
図７に示すように、第３の隣接妨害低減装置５は、第１の局部発信器３５０が発振する局部発振周波信号ｆ１が、入力チャネル選局部３４０および出力チャネル選局部３４６に対して供給されていることが第１の隣接妨害低減装置３に対して異なっている。
【００５９】
このように、局部発振周波信号ｆ１が入力チャネル選局部３４０および出力チャネル選局部３４６に供給されることによって、出力チャネル選局部３４６は、入力チャネル選局部３４０が選局した希望チャネルＡと同一のチャネルにより、希望チャネルＡに隣接した妨害波を低減した信号を出力する。
つまり、第３の隣接妨害低減装置５の混合器３６は、出力電力調整部３４８から入力される選択出力チャネルＡ（希望チャネルＡと同一）の周波数の信号と、分岐器３０から入力される第２の混合信号とを混合することにより第３の混合信号（調整済みＣＳ・ＢＳ／Ｕ・Ｖ）を生成し、４分配器１４０に対して出力する。
【００６０】
図８は、第３の隣接妨害低減装置５の混合器３６に対し、出力電力調整部３４８から、および分岐器３０から入力される希望波（チャネルＡ）の信号レベルと帯域を示す図である。
図８に示すように、第１の局部発信器３５０が発振する局部発振周波信号ｆ１が、入力チャネル選局部３４０および出力チャネル選局部３４６に対して供給されることによって、混合器３６に対して出力電力調整部３４８から入力される希望波、および分岐器３０から入力される希望波のチャネルが同一となり、それぞれの映像搬送波の周波数を略同一にすることができる。
よって、第３の隣接妨害低減装置５は、希望波に隣接する妨害波を低減した信号を、放送波受信システム２が希望波を受信したチャネルと同一のチャネルにより、同一チャネル妨害を防止しつつ出力することができる。
【００６１】
以上説明したように、第１〜第３の隣接妨害低減装置３〜５は、妨害波が隣接する希望チャネルの信号から妨害波を低減し、希望チャネルの信号のレベルを個別に調整して出力することができる。
また、第２の隣接妨害低減装置４において、妨害波が隣接する希望チャネルが２つの場合について説明したが、これに限定されることなく、妨害波が隣接する希望チャネルが３つ以上ある場合には、それぞれのチャネルに対して希望波に隣接する妨害波を低減するようにしてもよい。
また、放送波受信システム２は、デジタル放送が希望波であり、アナログ放送が妨害波である場合にも、隣接する妨害波を低減することができるようにされてもよい。
【００６２】
【発明の効果】
以上説明したように、本発明に係る隣接妨害低減装置によれば、隣接する信号による妨害を低減することができる。
【図面の簡単な説明】
【図１】本発明の背景の説明のために例示する放送波受信システムの構成を示す図である。
【図２】希望波と妨害波とが隣接し、隣接妨害が発生する状況の放送波の周波数（チャネル）配列を例示する図である。
【図３】本発明が適用される放送波受信システムの構成を例示する図である。
【図４】本発明に係る第１の隣接妨害低減装置の構成を示す図である。
【図５】特定の処理周波数において、図２に示したチャネル配列の信号から希望チャネルＡに対応する帯域以外の信号を低減する概念を示す図である。
【図６】本発明に係る第２の隣接妨害低減装置の構成を示す図である。
【図７】本発明に係る第３の隣接妨害低減装置の構成を示す図である。
【図８】第３の隣接妨害低減装置の混合器に対し、出力電力調整部から、および分岐器から入力される希望波（チャネルＡ）の信号レベルと帯域を示す図である。
【符号の説明】
１，２・・・放送波受信システム
１０・・・放送波受信部
１００・・・第１のアンテナ
１０２・・・第２のアンテナ
１０４・・・第３のアンテナ
１２・・・混合部
１２０・・・第１の混合器
１２２・・・第２の混合器
１４・・・分配部
１４０・・・４分配器
１４２−１〜１４２−４・・・テレビ端子
１４４−１〜１４４−３・・・分波器
１６・・・アナログテレビ
１８−１〜１８−３・・・デジタル対応テレビ
３・・・第１の隣接妨害低減装置
３０・・・分岐器
３２・・・幹線
３４・・・分岐線
３４０・・・入力チャネル選局部
３４２・・・ＢＰＦ
３４４・・・増幅器
３４６・・・出力チャネル選局部
３４８・・・出力電力調整部
３５０・・・第１の局部発信器
３５２・・・第２の局部発信器
３６・・・混合器
４・・・第２の隣接妨害低減装置
４０・・・第１の隣接妨害低減部
４００・・・一次幹線
４２・・・第２の隣接妨害低減部
４２０・・・二次幹線
４２２・・・二次分岐線
４４０・・・二次入力チャネル選局部
４５０・・・第３の局部発信器
４５２・・・第４の局部発信器
５・・・第３の隣接妨害低減装置
【図１】
2005039442.tif 000003
【図２】
2005039442.tif 000004
【図３】
2005039442.tif 000005
【図４】
2005039442.tif 000006
【図５】
2005039442.tif 000007
【図６】
2005039442.tif 000008
【図７】
2005039442.tif 000009
【図８】
2005039442.tif 000010